(57)【要約】【課題】乗客用コンベアのステップ清掃用装置において、清掃装置の運転を止めることなく清掃用ブラシに付着した塵埃や油分を取り除くことにより、清掃装置の性能を維持し安定したステップ清掃を可能にするステップ清掃装置を提供する。【解決手段】無端状に連結されたステップ６の上面部に回転するブラシ体３Ａ、３Ｂを当接させて該ステップの上面部を清掃するブラシ装置３と、上記ブラシ体に当接するように設けられ該ブラシ体に付着した塵埃類を該ブラシ体から転着させる被着体４１を有する転写手段４（４Ａ、４Ｂ）と、を備えたものである。【選択図】図１
2010184762.tif 000002
【特許請求の範囲】
【請求項１】
無端状に連結されたステップの上面部に回転するブラシ体を当接させて該ステップの上面部を清掃するブラシ装置と、上記ブラシ体に当接するように設けられ該ブラシ体に付着した塵埃類を該ブラシ体から転着させる被着体を有する転写手段と、を備えたことを特徴とする乗客用コンベアのステップ清掃装置。
【請求項２】
上記転写手段は、上記被着体としての長尺に形成された転写シートと、この転写シートがロール状に巻かれた被着体ロールを保持し、上記転写シートの一端部側を上記ブラシ体の方向に繰り出す送り機構と、この送り機構から繰り出され上記ブラシ体に当接した後の上記転写シートを巻取る巻取り機構とを備えてなることを特徴とする請求項１に記載の乗客用コンベアのステップ清掃装置。
【請求項３】
上記被着体は、塵埃類の転着を容易にする表面処理が施されたものであることを特徴とする請求項１または請求項２に記載の乗客用コンベアのステップ清掃装置。
【請求項４】
上記巻取り機構の回転を上記ブラシ体の回転に連動させたことを特徴とする請求項２または請求項３に記載の乗客用コンベアのステップ清掃装置。
【請求項５】
上記送り機構は、上記転写シートに所定の張力を与えるための回転規制手段を備えていることを特徴とする請求項２から請求項４の何れかに記載の乗客用コンベアのステップ清掃装置。
【請求項６】
上記巻取り機構に巻取られた上記転写シートを上記送り機構に取付け、上記転写シートの裏面を上記ブラシ体に当接させるようにしたことを特徴とする請求項２から請求項５の何れかに記載の乗客用コンベアのステップ清掃装置。
【請求項７】
上記ブラシ体によって掻き出された塵埃類を周囲の空気と共に吸引する真空吸引手段を備えたことを特徴とする請求項１から請求項６の何れかに記載の乗客用コンベアのステップ清掃装置。
【請求項８】
上記ブラシ体に洗浄液を被着させる洗浄液被着装置を設けたことを特徴とする請求項１から請求項７の何れかに記載の乗客用コンベアのステップ清掃装置。
【発明の詳細な説明】
【技術分野】
【０００１】
この発明は、無端状に連結されたステップの清掃を自動的に行う乗客用コンベアのステップ清掃装置に関するものである。
【背景技術】
【０００２】
従来の乗客用コンベアのステップを清掃する装置として、多数の踏段を有するエスカレータの乗降口に着脱自在に固定される保持具と、前記保持具に取付けられ踏段の長手方向に沿って摺動自在に移動可能な回転ブラシを備える清掃手段と、前記清掃手段に設けた回転ブラシの毛先を前記踏段のクリート部中に向けて押圧する押圧手段とからなるエスカレータの踏段清掃装置がある（例えば特許文献１参照）。
【先行技術文献】
【特許文献】
【０００３】
【特許文献１】特開昭６１−１７８３９２号公報（第１頁、第６図）
【発明の概要】
【発明が解決しようとする課題】
【０００４】
上記特許文献１のような従来技術においては、清掃が進むにつれて回転ブラシに塵埃が付着し、特に、ステップの両サイドは、乗客用コンベアの駆動用チェーンと機構部に供給される潤滑材の影響により油汚れがあるため、回転ブラシに油分を含む塵埃類がこびりつくことにより、清掃性能が低下するという問題があった。このため、該特許文献１に記載されていないが、清掃運転を中止して回転ブラシを時々交換したり、取外して洗浄する必要があった。
【０００５】
本発明は、上記のような従来技術における課題を解消するためになされたもので、清掃装置の運転を長時間止めることなく、清掃性能を維持することができる乗客用コンベアのステップ清掃装置を提供することを目的としている。
【課題を解決するための手段】
【０００６】
本発明に係る乗客用コンベアのステップ清掃装置は、無端状に連結されたステップの上面部に回転するブラシ体を当接させて該ステップの上面部を清掃するブラシ装置と、上記ブラシ体に当接するように設けられ該ブラシ体に付着した塵埃類を該ブラシ体から転着させる被着体を有する転写手段とを備えるようにしたものである。
【発明の効果】
【０００７】
本発明においては、転写手段によってブラシ体に付着した塵埃類を被着体に転着するようにしたことにより、ブラシ体の汚れが所定レベル以内に維持され、清掃装置の運転を長時間止めることなく、清掃性能を維持することができる。
【図面の簡単な説明】
【０００８】
【図１】本発明の実施の形態１に係る乗客用コンベアのステップ清掃装置の構成例を概念的に説明する図であり、図１（ａ）は正面図、図１（ｂ）は図１（ａ）の側面図。
【図２】実施の形態１による清掃実施時の動作を説明する側面図。
【図３】実施の形態１による清掃実施時の他の動作例を説明する側面図。
【図４】本発明の実施の形態２に係る乗客用コンベアのステップ清掃装置を概念的に説明する図であり、図４（ａ）は正面図、図４（ｂ）は図４（ａ）の側面図。
【発明を実施するための形態】
【０００９】
実施の形態１．
図１〜図３は、本発明の実施の形態１に係る乗客用コンベアのステップ清掃装置の構成例を何れも概念的に説明する図であり、図１（ａ）は正面図、図１（ｂ）は図１（ａ）の側面図、図２は清掃実施時の動作を説明する側面図、図３は清掃実施時の他の動作例を説明する側面図である。なお、図１（ａ）では、部材相互の配置の理解を容易にするためにブラシ体３（３Ａ、３Ｂ）に斜線を入れて示している。また、各図を通じて同一符号は同一または相当部分を示している。
【００１０】
図において、乗客用コンベアのステップ清掃装置２０は、使用時に略水平方向に延在し、略中央部に後述する駆動ベルトを通すための開口部１１ａを有する天板１１、及びこの天板１１の中央下部から下方向に、互いに離間させて平行に突設された支持部材１２、１３からなる基体１と、天板１１の上部に配設され、駆動軸２１の突出部が開口部１１ａ上方に位置するようにアングル部材を介して天板１１に固定されたモータ２と、天板１１の下部における支持部材１２、１３を挟む両側に対称的に配設され、該支持部材１２、１３に対して回転自在に支承された共通のブラシ体回転軸３１に固定された略円筒状のブラシ体３Ａ、３Ｂと、このブラシ体３Ａ、３Ｂと天板１１の間における支持部材１２、１３を挟む両側に対称的に配設され、ブラシ体３Ａ、３Ｂにそれぞれ当接して該ブラシ体３Ａ、３Ｂに付着した塵埃類等の汚れを被着体としての転写シート４１に転着する転写手段４（４Ａ、４Ｂ）と、モータ２の回転をブラシ体回転軸３１、及び転写手段４の巻取り軸４３ａに伝えるプーリと駆動ベルトを用いた伝達手段５１、５２などを備えている。
【００１１】
上記ブラシ体３Ａ、３Ｂは、ブラシ体回転軸３１を中心として詳細を図示省略している多数の刷毛などの線状体が放射状に植設されて外観が略円筒状に形成されたものであり、モータ２の回転に従動して回転され、線状体の先端部がエスカレータ等乗客用コンベアのステップ６の溝内にも侵入するように当接して、ステップ６の上面部（踏み面）に付着した汚れや異物を掻き出すように構成されている。なお、上記ブラシ体３Ａ、３Ｂ、ブラシ体回転軸３１、基体１、モータ２、及び伝達手段５１によりブラシ装置３が構成されている。
【００１２】
上記転写手段４（４Ａ、４Ｂ）は、塵埃・油分が付着し易い例えば綿などの材質からなる長尺シート状の被着体である転写シート４１と、この転写シート４１がドラム状に巻かれ、支持部材１２（１３）に回動自在に支持された送り機構（詳細図示省略）を構成する被着体ロール４２と、支持部材１２（１３）に回動自在に支持された巻取り軸４３ａを有し、被着体ロール４２から繰り出された転写シート４１の巻取り機構を構成する巻取ローラ４３と、図２に示すように被着体ロール４２及び巻取ローラ４３の間に配設され、転写シート４１をブラシ体３Ａ、３Ｂの外周面に当接させる一対のガイドローラ４４、４５と、モータ２と、モータ２の駆動力を巻取ローラ４３の巻取り軸４３ａに伝える伝達手段５２からなる。
【００１３】
なお、被着体ロール４２には、繰り出された転写シート４１に適度な張力を与えるためのブレーキ構造による回転規制手段（図示省略）が設けられている。上記ステップ清掃装置２０は図示省略している金具により乗客用コンベアの乗降口近傍に設置され、設置したときに図２に示すようにステップ６上面及び図示省略しているステップ６の溝内にブラシ体３Ａ、３Ｂの先端部が当接するように構成されている。また、図１（ａ）の左右方向の横幅はステップ６の幅よりも狭く、左右方向に設置位置をずらすことによりステップ６の全幅の清掃が行われるような寸法に形成されている。また上記の他、ブラシ体３Ａ、３Ｂの回転によってステップ６から掻き出された塵埃を周囲の空気と共に吸引するための吸引手段が設けられている。
【００１４】
次に、上記のように構成された実施の形態１の動作について説明する。先ず、ステップ清掃装置２０を乗客用コンベアの乗降口近傍に図２のようにブラシ体３Ａ、３Ｂの外周面がステップ６上に押し付けるようにセットする。なお、ステップ６の幅方向の位置は従来の清掃装置の場合と同様、先ず何れか一方の側に寄せて据え付ける。次に、図１及び図２に示す状態において、モータ２を動作させると伝達手段５１を介してブラシ体３Ａ、３Ｂが矢印Ａの方向に回転する一方、連動して伝達手段５２を介して巻取ローラ４３が回転されて転写シート４１が被着体ロール４２から矢印Ｂの方向に繰り出され、ガイドローラ４４、ブラシ体３Ａ、３Ｂの外周面、及びガイドローラ４５を経て巻取ローラ４３に巻き取られる。
【００１５】
ここで、従動側の被着体ロール４２は上述のように、図示されていない回転規制手段と、巻取ローラ４３の巻取り力による一定のテンションにて巻き取られるように構成されている。このような状態において、乗客用コンベアを運転することにより、ブラシ体３Ａ、３Ｂによってかき出されたステップ６の溝内を含む上面部に付着している油分を含む塵埃類は、ステップ清掃装置２０に設けられた吸引手段（図示せず）により回収されるものと、ブラシ体３Ａ、３Ｂに付着するものに分かれる。ブラシ体３Ａ、３Ｂに付着した塵埃類は、ブラシ体３Ａ、３Ｂが転写シート４１の下面に押し当てられていることにより、矢印Ｂ方向に移動する転写シート４１に連続的に被着され、ブラシ体３Ａ、３Ｂから除去、転着される。
【００１６】
上記動作を無端状に連結されたステップ６が少なくとも１周する間続けることで、ブラシ体３Ａ、３Ｂが当接した部分の清掃が完了する。次に、ステップ清掃装置２０のステップ６における幅方向の位置を変更して同様の清掃動作を行うことで、ステップ６の全幅にわたって清掃が完了する。なお、転写シート４１に対する転着の効果を上げるために、上記転写シート４１に例えば、脱脂処理、静電気除去剤の含浸など各種表面処理を施すことは好ましい。また、ブラシ体３Ａ、３Ｂの回転速度と転写シート４１の移動速度は、モータ２の回転数や、伝達手段５１、５２の減（増）速比などを相互に変更することで、適宜調整することができる。
【００１７】
さらに、ステップ６は例えば図２の左方向に移動するように運転されるが、その逆でも差支えない。また、転写シート４１は図３に示すように繰り出す側の被着体ロール４２の取り付け方を反転させることで両面を使用することができる。即ち、図２に示す状態で清掃運転を続け、被着体ロール４２側から繰り出す転写シート４１が最終部分に至ったとき、運転を一旦中止し、巻取ローラ４３に巻き取られた転写シート４１を、図の左側の被着体ロール４２の側に図２とは反転させてセットし、新たな被着体ロール４２として、図３に示すように被着体ロール４２が図２とは逆方向に回転するように転写シート４１を繰り出すことで、転写シート４１の裏面側をブラシ体３Ａ、３Ｂに当接させ、塵埃類を被着させることができる。
【００１８】
上記のように、実施の形態１によれば、清掃用のブラシ体３Ａ、３Ｂに付着した油分を含む塵埃類を取り除くための転写手段４を設けたことにより、ブラシ体３Ａ、３Ｂのステップ６と接触する部分の汚れを落とせるため、清掃性能を落とすことなく、従来よりも長時間安定した乗客用コンベアのステップ清掃が可能となる。また、転写手段４によるブラシ体３Ａ、３Ｂの汚れ落としは、ステップ清掃装置２０の運転時にブラシ体３Ａ、３Ｂの回転に連動して同時並行的に行なわれるため、清掃時間をロスすることなく清掃が可能であり、作業性が向上する。また、清掃用のブラシ体３Ａ、３Ｂを長時間きれいな状態に保てるので、ブラシ体３Ａ、３Ｂの交換頻度が少なくなり、清掃作業の効率化が図れ、環境負荷の軽減にも繋げられる。
【００１９】
実施の形態２．
図４は本発明の実施の形態２に係る乗客用コンベアのステップ清掃装置を概念的に説明する図であり、図４（ａ）は正面図、図４（ｂ）は図４（ａ）の側面図である。この実施の形態２は、上記実施の形態１のステップ洗浄装置２０に、ブラシ体３Ａ、３Ｂに洗浄液を被着させるための洗浄液被着装置７を付加したものである。図において、洗浄液被着装置７は天板１１上に設置されたブラシ体３Ａ、３Ｂの汚れを落すための洗浄液（図示省略）が収容された容器７１と、ブラシ体３Ａ、３Ｂの側方部に該ブラシ体３Ａ、３Ｂの外周面に沿って水平方向に設けられ、洗浄液を噴射ないしは滴下するノズル体７２と、容器７１内の洗浄液をノズル体７２に導く供給配管７３からなっている。
【００２０】
なお、上記洗浄液としては機械油などの潤滑材を含む塵埃の洗浄に効果があり、中性または中性に近い液性のものなどは好ましく用いることができるが、その成分、組成などは特に限定されるものではなく、例えば公知の界面活性剤等を含む一般的な洗浄剤や洗浄液を適宜選択して用いることができる。また、供給配管７３には洗浄液の供給を制御するための開閉弁や流量調整弁などを設け、あるいはノズル体７２から洗浄液を噴霧させるために洗浄液に圧力をかけるポンプ装置などを設けることも差し支えない。その他の構成は実施の形態１と同様であるので説明を省略する。
【００２１】
上記のように構成された実施の形態２においては、乗客用コンベアのステップを、実施の形態１の図２または図３に示すように洗浄しているときに、容器７１から供給配管７３を介してノズル体７２に送られた洗浄液が、回転しているブラシ体３Ａ、３Ｂの外周面部に吹き付けられる。表面に洗浄液が付着したブラシ体３Ａ、３Ｂが回転することにより、ステップ６（図２）の塵埃類が取れ易くなる一方、ブラシ体３Ａ、３Ｂに付着した油分を含む塵埃類も該ブラシ体３Ａ、３Ｂから取れ易くなるため、転写シート４１に転着し易くなり、清掃効果が高まる。
【００２２】
上記のように、実施の形態２によれば、ブラシ体３Ａ、３Ｂに洗浄液を被着させる洗浄液被着装置７を設けたことにより、乗客用コンベアのステップ６（図２、図３）に付着した塵埃類が取れ易くなる一方、ブラシ体３Ａ、３Ｂに付着した油分を含む塵埃類も該ブラシ体３Ａ、３Ｂから取れ易くなるため、転写シート４１に転着し易くなり、ブラシ体３Ａ、３Ｂの汚れを効果的に取り除くことができ、より安定した乗客用コンベアのステップ清掃ができるという効果が得られる。
【００２３】
なお、上記実施の形態１、２では、駆動源としてモータ２を用い、伝達手段５１、５２としてプーリと駆動ベルトを用いたが、駆動手段や伝達手段、伝達方式などは実施の形態のものに限定されるものではない。例えば、伝達手段としてチェーンなどを用い、あるいはブラシ体回転軸３１または転写手段４の巻取り軸４３ａを直接駆動するダイレクトドライブ方式などに変更しても良い。また、ブラシ体３Ａ、３Ｂと転写シート４１が常時当接しているように図示したが、例えばガイドローラ４４、または４５の位置を図の上下方向に可変にする機構を付加し、例えばモータ２の起動時等、当接状態を任意に解除し得るようにし、あるいはブラシ装置３と転写手段４を非連動にしても良い。
【００２４】
さらに、ブラシ体３Ａ、３Ｂと転写シート４１の当接のさせ方、当接させる位置、あるいはテンションのかけ方等、この発明の範囲内で各種の変更や変形できることは言うまでもない。ところで、上記実施の形態ではこの発明をエスカレータに適用した場合について説明したが、例えばいわゆる「動く歩道」や、移動方向に段差が生じない傾斜路を形成した乗客用コンベアなどにも適用できることは言うまでもない。また、ステップまたは踏み面がゴム製の素材を用いたものでも差支えない。
【符号の説明】
【００２５】
２０  ステップ清掃装置、  １  基体、  １１  天板、  １１ａ  開口部、  １２、１３  支持部材、  ２  モータ、  ２１  駆動軸、  ３  ブラシ装置、  ３Ａ、３Ｂ  ブラシ体、  ３１  ブラシ体回転軸、  ４（４Ａ、４Ｂ）  転写手段、  ４１  転写シート（被着体）、  ４２  被着体ロール、  ４３  巻取ローラ、  ４３ａ  巻取り軸、  ４４、４５  ガイドローラ、  ５１、５２  伝達手段、  ６  ステップ、  ７  洗浄液被着装置、  ７１  容器、  ７２  ノズル体、  ７３  供給配管。
【図１】
2010184762.tif 000003
【図２】
2010184762.tif 000004
【図３】
2010184762.tif 000005
【図４】
2010184762.tif 000006